(57)【特許請求の範囲】
【請求項１】
コンタクトガラス上に載置され原稿カバーの原稿押さえで押さえられた原稿をスキャンしてスキャン画像を生成する画像読取部と、
前記スキャン画像内の原稿画像を検索し検知する原稿検知部と、
前記原稿検知部により検知された前記原稿画像をクロッピングする画像処理部と、
ユーザーに警告画面を表示する表示装置と、
前記表示装置に前記警告画面を表示させる制御部とを備え、
前記制御部は、前記原稿検知部が前記原稿画像の検知に失敗した場合、前記コンタクトガラス上での前記原稿の再配置をユーザーに促す第１警告画面を前記表示装置に表示させ、前記原稿の再配置後、前記画像読取部に再スキャンを実行させ、前記原稿検知部に、前記再スキャンによる前記スキャン画像内の原稿画像を検索させ検知させ、
前記第１警告画面は、前記原稿の再配置の前記原稿の配置位置を指定する位置指定メッセージを含み、
前記配置位置は、前記コンタクトガラスの４隅のいずれか、または前記コンタクトガラスの４辺のいずれかに前記原稿が接する位置とされ、
前記制御部は、前記第１警告画面の表示後の前記再スキャンによる前記スキャン画像において前記原稿検知部が前記原稿画像の検知に失敗した場合、前記コンタクトガラスの清掃をユーザーに促す第２警告画面を前記表示装置に表示させ、前記コンタクトガラスの清掃後、前記画像読取部に再スキャンを実行させ、前記原稿検知部に、前記再スキャンによる前記スキャン画像内の原稿画像を検索させ検知させること、
を特徴とする画像読取装置。
【請求項２】
前記制御部は、前記第２警告画面の表示後の前記再スキャンによる前記スキャン画像において前記原稿検知部が前記原稿画像の検知に失敗した場合、前記原稿押さえの交換をユーザーに促す第３警告画面を前記表示装置に表示させることを特徴とする請求項１記載の画像読取装置。
【請求項３】
前記制御部は、前記第２警告画面の表示後の前記再スキャンによる前記スキャン画像において前記原稿検知部が前記原稿画像の検知に失敗した場合、前記原稿をスキャンしたときのスキャン画像または前記原稿が載置されていないときに前記原稿押さえをスキャンしたときのスキャン画像に基づいて前記原稿押さえの色を特定し、特定した色に基づいて、前記原稿押さえの交換をユーザーに促す第３警告画面を前記表示装置に表示させるか否かを判定することを特徴とする請求項１記載の画像読取装置。
【請求項４】
前記画像処理部は、前記第３警告画面の表示後に、ユーザーにより指定された原稿サイズおよび前記配置位置に基づいて特定される前記スキャン画像内の前記原稿画像をクロッピングすることを特徴とする請求項２または請求項３記載の画像読取装置。
【請求項５】
前記制御部は、前記第３警告画面の表示後に、前記原稿カバーが開状態での再スキャンをユーザーに促す第４警告画面を前記表示装置に表示させ、前記原稿カバーが開けられた後、前記画像読取部に再スキャンを実行させ、前記原稿検知部に、前記再スキャンによる前記スキャン画像内の原稿画像を検索させ検知させることを特徴とする請求項２または請求項３記載の画像読取装置。
【発明の詳細な説明】
【技術分野】
【０００１】
本発明は、画像読取装置に関するものである。
【背景技術】
【０００２】
画像読取装置には、オートクロップ機能を有するものがある（例えば特許文献１参照）。
【０００３】
オートクロップ機能は、スキャン画像内の原稿部分を検知して、検知した原稿部分をくり抜いて１つの画像とする機能である。
【先行技術文献】
【特許文献】
【０００４】
【特許文献１】特開２００７−２０１２２号公報
【発明の概要】
【発明が解決しようとする課題】
【０００５】
しかしながら、原稿台（コンタクトガラス）、原稿カバー（原稿押さえ）の汚れや変形などに起因して、オートクロップ機能において原稿部分を正確に検知できずに、デフォルトの領域に対してオートクロップ機能を実行したり、オートクロップ機能が中止されてしまったりするため、ユーザーの意図したとおりにオートクロップ機能が実行されないことがある。
【０００６】
本発明は、上記の問題に鑑みてなされたものであり、オートクロップ機能を円滑に実行させるようにユーザーを支援する画像読取装置を得ることを目的とする。
【課題を解決するための手段】
【０００７】
本発明に係る画像読取装置は、コンタクトガラス上に載置され原稿カバーの原稿押さえで押さえられた原稿をスキャンしてスキャン画像を生成する画像読取部と、前記スキャン画像内の原稿画像を検索し検知する原稿検知部と、前記原稿検知部により検知された前記原稿画像をクロッピングする画像処理部と、ユーザーに警告画面を表示する表示装置と、前記表示装置に前記警告画面を表示させる制御部とを備える。前記制御部は、前記原稿検知部が前記原稿画像の検知に失敗した場合、前記コンタクトガラス上での前記原稿の再配置をユーザーに促す第１警告画面を前記表示装置に表示させ、前記原稿の再配置後、前記画像読取部に再スキャンを実行させ、前記原稿検知部に、前記再スキャンによる前記スキャン画像内の原稿画像を検索させ検知させる。前記第１警告画面は、前記原稿の再配置の前記原稿の配置位置を指定する位置指定メッセージを含み、前記配置位置は、前記コンタクトガラスの４隅のいずれか、または前記コンタクトガラスの４辺のいずれかに前記原稿が接する位置とされる。そして、前記制御部は、前記第１警告画面の表示後の前記再スキャンによる前記スキャン画像において前記原稿検知部が前記原稿画像の検知に失敗した場合、前記コンタクトガラスの清掃をユーザーに促す第２警告画面を前記表示装置に表示させ、前記コンタクトガラスの清掃後、前記画像読取部に再スキャンを実行させ、前記原稿検知部に、前記再スキャンによる前記スキャン画像内の原稿画像を検索させ検知させる。
【発明の効果】
【０００８】
本発明によれば、オートクロップ機能が円滑に実行されるようにユーザーが支援される。
【０００９】
本発明の上記又は他の目的、特徴および優位性は、添付の図面とともに以下の詳細な説明から更に明らかになる。
【図面の簡単な説明】
【００１０】
【図１】図１は、本発明の実施の形態に係る画像読取装置の内部構成を示す側面図である。
【図２】図２は、本発明の実施の形態に係る画像読取装置の斜視図である。
【図３】図３は、図１に示す画像読取装置の電気的構成を示すブロック図である。
【図４】図４は、第１警告画面の一例を示す図である。
【図５】図５は、第２警告画面の一例を示す図である。
【図６】図６は、第３警告画面の一例を示す図である。
【図７】図７は、原稿サイズを入力するための画面の一例を示す図である。
【図８】図８は、実施の形態１に係る画像読取装置の動作について説明するフローチャートである（１／２）。
【図９】図９は、実施の形態１に係る画像読取装置の動作について説明するフローチャートである（２／２）。
【発明を実施するための形態】
【００１１】
以下、図に基づいて本発明の実施の形態を説明する。
【００１２】
実施の形態１．
【００１３】
図１は、本発明の実施の形態に係る画像読取装置の内部構成を示す側面図である。図１に示す画像読取装置は、スキャナー、複写機、デジタル複合機などといった装置である。
【００１４】
図１において、コンタクトガラス１は、当該画像読取装置本体の上面に設置され、画像読取時に原稿を載置される透明な原稿台である。
【００１５】
また、キャリッジ２は、図示せぬ駆動源によって副走査方向に移動可能に設置されている。キャリッジ２は、光源１１とミラー１２とを有する。光源１１は、主走査方向に沿って配置され、例えば配列された複数の発光ダイオードで光を出射する。光源１１から出射された光は、キャリッジ２の位置に応じて、コンタクトガラス１上に載置された原稿で反射する。ミラー１２は、原稿からの反射光を反射する。また、キャリッジ３は、図示せぬ駆動源によってキャリッジ２とともに副走査方向に移動可能に設置されている。キャリッジ３は、ミラー１３，１４を有する。ミラー１３，１４は、キャリッジ２のミラー１２からの光を２度反射して副走査方向に沿って出射する。
【００１６】
結像レンズ４は、ミラー１４からの光をイメージセンサー５に結像させる。イメージセンサー５は、主走査方向に配列された所定の画素数の受光素子を有する一次元イメージセンサーであり、ラインごとに、その画素数の画素についての受光量に対応する電気信号を出力する。イメージセンサー５としては、例えば、ＣＣＤ（Charge Coupled Device）が使用される。
【００１７】
キャリッジ２，３、結像レンズ４、イメージセンサー５、光源１１、ミラー１２、ミラー１３，１４により、コンタクトガラス１に載置された原稿および原稿カバー７の原稿押さえの画像を読み取る画像読取部１５が構成されている。画像読取部１５は、コンタクトガラス１上に載置され原稿カバー７の原稿押さえで押さえられた原稿をスキャンしてスキャン画像を生成する。その際、コンタクトガラス１上の所定の矩形領域の画像がスキャン画像として読み取られる。
【００１８】
図２は、本発明の実施の形態に係る画像読取装置の斜視図である。
【００１９】
図１および図２に示すように、原稿カバー７は、奥側の回動端付近を軸として回動自在に設置されている、開閉自在の略平板状の部材である。原稿カバー７は、コンタクトガラス１に載置された原稿を押さえる白色の原稿押さえ２１を備える。原稿カバー７は、原稿をコンタクトガラス１に密着させるとともに、画像読取時に環境光がコンタクトガラス１から装置内部へ入射することを防ぐ。
【００２０】
図３は、図１に示す画像読取装置の電気的構成を示すブロック図である。
【００２１】
図１に示す画像読取装置は、さらに、ユーザーインターフェイス３１、印刷部３２、コントローラー３３、記憶装置３４、および通信装置３５を備える。
【００２２】
ユーザーインターフェイス３１は、ユーザーに対して各種情報を表示する液晶ディスプレイなどといった表示装置３１ａと、ユーザー操作を検出するキー、タッチパネルなどの入力装置３１ｂとを備える。表示装置３１ａは、ユーザーに対して警告画面などを表示する。
【００２３】
印刷部３２は、画像データに基づく画像を、電子写真方式などで記録用紙などに印刷する内部装置である。
【００２４】
コントローラー３３は、画像読取部１５、ユーザーインターフェイス３１、印刷部３２などの内部装置を制御するとともに、画像処理などのデータ処理を実行する。コントローラー３３は、例えばＡＳＩＣ（Application Specific Integrated Circuit）や、制御プログラムに従って動作するコンピューターなどで実現される。
【００２５】
記憶装置３４は、ハードディスク、不揮発性メモリーなどの不揮発性の記憶装置であって、各種データや制御プログラムを記憶する。例えば、記憶装置３４には、上述の制御プログラムや当該画像読取装置の機器状態情報が記憶される。
【００２６】
通信装置３５は、ネットワークインターフェイスなどのデータ通信を行う装置である。
【００２７】
コントローラー３３は、画像読取処理部４１、原稿検知部４２、画像処理部４３、印刷処理部４４、および制御部４５として動作する。
【００２８】
画像読取処理部４１は、画像読取部１５を制御して、画像読取部１５からスキャン画像を取得する。
【００２９】
原稿検知部４２は、オートクロップ機能がオンである場合、取得されたスキャン画像内の原稿画像を検索し検知する。例えば、原稿検知部４２は、取得されたスキャン画像内でエッジを検出し、そのエッジで囲まれる矩形の領域の画像を原稿画像として検知する。
【００３０】
画像処理部４３は、各種画像処理を実行する。特に、画像処理部４３は、オートクロップ機能がオンである場合、原稿検知部４２により検知された原稿画像をクロッピングする。
【００３１】
印刷処理部４４は、印刷部３２を制御して、印刷部３２に画像を印刷させる。
【００３２】
制御部４５は、画像読取処理部４１、原稿検知部４２、画像処理部４３、および印刷処理部４４を制御して一連の処理を実行する。
【００３３】
制御部４５は、表示装置３１ａに各種警告画面を表示させる。
【００３４】
具体的には、制御部４５は、後述の第１警告画面の表示前に原稿検知部４２が原稿画像の検知に失敗した場合、コンタクトガラス１上での原稿の再配置をユーザーに促す第１警告画面を表示装置３１ａに表示させ、ユーザーによる原稿の再配置後、画像読取部１５に再スキャンを実行させ、原稿検知部４２に、その再スキャンによるスキャン画像内の原稿画像を検索させ検知させる。
【００３５】
第１警告画面は、原稿の再配置の際の原稿の配置位置を指定する位置指定メッセージを含み、その配置位置は、コンタクトガラス１の４隅のいずれか、コンタクトガラスの４辺のいずれかに原稿が接する位置とされる。
【００３６】
図４は、第１警告画面の一例を示す図である。
【００３７】
図４に示す第１警告画面は、原稿再配置メッセージ６１、ＯＫキー６２、およびキャンセルキー６３を含む。原稿再配置メッセージ６１は、原稿の再配置をユーザーに促すメッセージであり、位置指定メッセージを含む。図４に示す例では、配置位置は、コンタクトガラス１の「左奥」（つまり、４隅のうちの１つ）となっている。ＯＫキー６２は、原稿の再配置後にユーザーにより押下されるソフトキーである。キャンセルキー６３は、画像読取をキャンセルするためのソフトキーである。
【００３８】
さらに、制御部４５は、第１警告画面の表示後の再スキャンによるスキャン画像において原稿検知部４２が原稿画像の検知に失敗した場合、コンタクトガラス１の清掃をユーザーに促す第２警告画面を表示装置３１ａに表示させ、コンタクトガラス１の清掃後、画像読取部１５に再スキャンを実行させ、原稿検知部４２に、その再スキャンによるスキャン画像内の原稿画像を検索させ検知させる。
【００３９】
図５は、第２警告画面の一例を示す図である。
【００４０】
図５に示す第２警告画面は、ガラス清掃メッセージ７１、ＯＫキー７２、およびキャンセルキー７３を含む。ガラス清掃メッセージ７１は、コンタクトガラス１の清掃をユーザーに促すメッセージである。ＯＫキー７２は、コンタクトガラス１の清掃後にユーザーにより押下されるソフトキーである。キャンセルキー７３は、画像読取をキャンセルするためのソフトキーである。
【００４１】
さらに、制御部４５は、第２警告画面の表示後の再スキャンによるスキャン画像において原稿検知部４２が原稿画像の検知に失敗した場合、原稿押さえ２１の交換（ここでは、原稿押さえ２１を含む原稿カバー７の交換）をユーザーに促す第３警告画面を表示装置３１ａに表示させる。
【００４２】
図６は、第３警告画面の一例を示す図である。
【００４３】
図６に示す第３警告画面は、カバー交換メッセージ８１、ＯＫキー８２、およびキャンセルキー８３を含む。カバー交換メッセージ８１は、原稿押さえ２１の交換（ここでは、原稿押さえ２１を含む原稿カバー７の交換）をユーザーに促すメッセージである。ＯＫキー８２は、原稿画像のオートクロップを続行するためにユーザーにより押下されるソフトキーである。キャンセルキー７３は、画像読取をキャンセルするためのソフトキーである。
【００４４】
なお、通常、原稿押さえ２１の交換（ここでは、原稿押さえ２１を含む原稿カバー７の交換）はただちに行えないため、ユーザーは、サポートサービスや管理者へ連絡したり、交換パーツの発注を行ったりする。
【００４５】
上述のＯＫキー８２が押下された場合、制御部４５は、原稿サイズを入力するための画面を表示装置３１ａに表示させる。
【００４６】
図７は、原稿サイズを入力するための画面の一例を示す図である。
【００４７】
図７に示す画面は、メッセージ９１、ＯＫキー９２、キャンセルキー９３、原稿サイズのプルダウンメニュー９４を含む。メッセージ９１は、載置されている原稿の原稿サイズの入力を促すメッセージである。ＯＫキー９２は、原稿サイズの入力後にユーザーにより押下されるソフトキーである。キャンセルキー９３は、画像読取をキャンセルするためのソフトキーである。プルダウンメニュー９４は、Ａ４、Ａ５などの項目から１つの項目を選択することで原稿サイズを入力可能なメニューである。
【００４８】
オートクロップを続行する場合、ユーザーは、プルダウンメニュー９４で原稿サイズを入力した後、ＯＫキー９２を押下する。そして、画像処理部４３は、第３警告画面の表示後に、ユーザーにより指定された原稿サイズおよび上述の第１警告画面における配置位置に基づいて特定されるスキャン画像内の原稿画像をクロッピングする。つまり、原稿サイズおよび配置位置から、クロッピングすべき領域が特定される。
【００４９】
次に、実施の形態１に係る画像読取装置の動作について説明する。図８および図９は、実施の形態１に係る画像読取装置の動作について説明するフローチャートである。
【００５０】
制御部４５は、通信装置３５を介してまたはユーザーインターフェイス３１から、オートクロップのオンが指定されている画像読取指令を受け付けると（ステップＳ１）、以下の処理を各部に実行させる。
【００５１】
まず、画像読取処理部４１は、画像読取部１５に画像スキャンを実行させ、画像読取部１５からスキャン画像を取得する（ステップＳ２）。
【００５２】
次に、原稿検知部４２は、そのスキャン画像内で原稿画像を検索し、原稿画像の検知を試みる（ステップＳ３）。
【００５３】
制御部４５は、原稿検知部４２が原稿画像の検知に成功したか否かを判定する（ステップＳ４）。
【００５４】
原稿検知部４２が原稿画像の検知に成功しなかった（つまり、失敗した）と判定された場合、制御部４５は、図示せぬ表示設定データに基づいて、１つの設定項目としてのパネル警告モードがオンとなっているか否かを判定する（ステップＳ５）。
【００５５】
パネル警告モードがオンとなっている場合、制御部４５は、上述の第１警告画面（つまり、原稿再配置メッセージ６１）を表示装置３１ａに表示させる（ステップＳ６）。
【００５６】
そして、原稿の再配置後（例えば、上述のＯＫキー６２が押下されると）、制御部４５は、再スキャンを実行させる。画像読取処理部４１は、画像読取部１５に再スキャンを実行させ、画像読取部１５からスキャン画像を取得する（ステップＳ７）。
【００５７】
次に、原稿検知部４２は、その再スキャンのスキャン画像内で原稿画像を検索し、原稿画像の検知を試みる（ステップＳ８）。
【００５８】
制御部４５は、再スキャンのスキャン画像において原稿検知部４２が原稿画像の検知に成功したか否かを判定する（ステップＳ９）。
【００５９】
原稿検知部４２が原稿画像の検知に成功しなかった（つまり、失敗した）と判定された場合、制御部４５は、上述の第２警告画面（つまり、ガラス清掃メッセージ７１）を表示装置３１ａに表示させる（ステップＳ１０）。
【００６０】
そして、コンタクトガラス１の清掃後（例えば、上述のＯＫキー７２が押下されると）、制御部４５は、再スキャンを実行させる。画像読取処理部４１は、画像読取部１５に再スキャンを実行させ、画像読取部１５からスキャン画像を取得する（ステップＳ１１）。
【００６１】
次に、原稿検知部４２は、その再スキャンのスキャン画像内で原稿画像を検索し、原稿画像の検知を試みる（ステップＳ１２）。
【００６２】
制御部４５は、再スキャンのスキャン画像において原稿検知部４２が原稿画像の検知に成功したか否かを判定する（ステップＳ１３）。
【００６３】
原稿検知部４２が原稿画像の検知に成功しなかった（つまり、失敗した）と判定された場合、制御部４５は、上述の第３警告画面（つまり、カバー交換メッセージ８１）を表示装置３１ａに表示させる（ステップＳ１４）。つまり、原稿の再配置およびコンタクトガラス１の清掃では不具合が解消されないので、原稿押さえ２１の汚れまたは変形が不具合の原因とみなし、その交換が促される。
【００６４】
その後、制御部４５は、上述の原稿サイズを入力するための画面（図７）を表示装置３１ａに表示させる。オートクロップを続行する場合、制御部４５は、その画面においてユーザーにより指定された原稿サイズを受け付け、画像処理部４３は、その画面においてユーザーにより指定された原稿サイズおよび上述の第１警告画面における配置位置に基づいて特定されるスキャン画像内の原稿画像をクロッピングする（ステップＳ１５）。
【００６５】
他方、ステップＳ４，Ｓ９，Ｓ１３において、原稿検知部４２が原稿画像の検知に成功したと判定された場合、制御部４５は、オートクロップを画像処理部４３に実行させる。そのとき、画像処理部４３は、原稿検知部４２により検知された原稿画像をクロッピングし１つの画像とする（ステップＳ１６）。
【００６６】
また、ステップＳ５において、パネル警告モードがオフであると判定された場合、制御部４５は、ユーザーにより指定されたサイズおよび位置（あるいは、デフォルトのサイズおよび位置）でクロッピングを画像処理部４３に実行させる（ステップＳ１７）。
【００６７】
以上のように、上記実施の形態１によれば、制御部４５は、原稿検知部４２がスキャン画像内の原稿画像の検知に失敗した場合、コンタクトガラス１上での原稿の再配置をユーザーに促す第１警告画面を表示装置３１ａに表示させ、原稿の再配置後、画像読取部１５に再スキャンを実行させ、原稿検知部４２に、再スキャンによるスキャン画像内の原稿画像を検索させ検知させる。その第１警告画面は、原稿の再配置の際の原稿の配置位置を指定する位置指定メッセージを含み、その配置位置は、コンタクトガラス１の４隅のいずれか、またはコンタクトガラスの４辺のいずれかに原稿が接する位置とされる。
【００６８】
これにより、原稿画像の検知に失敗した場合でも再スキャンで原稿画像の検知に成功する可能性が上がる。つまり、上述の配置位置への再配置によって少なくとも原稿画像の１辺が特定されるため、原稿画像の検知に成功する可能性が上がる。したがって、オートクロップ機能を円滑に実行させるようにユーザーが支援される。
【００６９】
実施の形態２．
【００７０】
実施の形態２に係る画像読取装置は、第３警告画面の表示前に、原稿押さえ２１に異常があるか否かを自動的に判定し、原稿押さえ２１に異常があると判定した場合には、第３警告画面を表示し、原稿押さえ２１に異常があると判定しなかった場合には、第３警告画面を表示しない。
【００７１】
具体的には、制御部４５は、第２警告画面の表示後の再スキャンによるスキャン画像において原稿検知部４２が原稿画像の検知に失敗した場合、原稿押さえ２１の色を特定し、特定した色に基づいて、原稿押さえ２１の交換をユーザーに促す第３警告画面を表示装置３１ａに表示させるか否かを判定する。
【００７２】
原稿押さえ２１の色は、原稿が載置されていない状態で画像スキャンした際のスキャン画像で得られる色、または原稿が載置されている状態で画像スキャンした際のスキャン画像内の所定の余白部分で得られる色として特定される。なお、原稿が載置されていない状態で画像スキャンした際のスキャン画像は、例えば、この画像読取装置の起動時に自動的に画像スキャンを行い、得られたスキャン画像を記憶装置３４に格納することで得られる。
【００７３】
より具体的には、基準となる原稿の背景色（つまり、用紙表面の色）と特定した原稿押さえ２１の色との差（色空間での距離、あるいは輝度差）が所定値以下であれば、制御部４５は、第３警告画面を表示装置３１ａに表示させ、そうでなければ、第３警告画面を表示装置３１ａに表示させない。
【００７４】
なお、第３警告画面を表示しない場合には、上述のステップＳ１４がスキップされ、ステップＳ１５が実行される。
【００７５】
なお、実施の形態２に係る画像読取装置のその他の構成および動作については、実施の形態１と同様であるので、その説明を省略する。
【００７６】
以上のように、上記実施の形態２によれば、原稿押さえ２１の交換を促すメッセージが適切な頻度で表示される。
【００７７】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００７８】
例えば、上記実施の形態において、制御部４５は、第３警告画面の表示後に、原稿カバー７が開状態での再スキャンをユーザーに促す第４警告画面を表示装置３１ａに表示させ、ユーザーにより原稿カバー７が開けられた後（例えば第４警告画面内のＯＫキーが押下されると）、画像読取部１５に再スキャンを実行させ、原稿検知部４２に、再スキャンによるスキャン画像内の原稿画像を検索させ検知させ、検知された原稿画像を画像処理部４３にクロッピングさせるようにしてもよい。この場合、スキャン画像において原稿画像以外の部分は高濃度（黒色）となるため、容易に原稿画像が検知される。
【００７９】
また、上記実施の形態において、上述の配置位置は、上述の再配置後に原稿画像の検知に成功するごとに変更されるようにしてもよい。
【産業上の利用可能性】
【００８０】
本発明は、例えば、画像読取装置に適用可能である。
【符号の説明】
【００８１】
１  コンタクトガラス
７  原稿カバー
１５  画像読取部
３１ａ  表示装置
４２  原稿検知部
４３  画像処理部
４５  制御部
【図１】
0006525208.tif 000002
【図２】
0006525208.tif 000003
【図３】
0006525208.tif 000004
【図４】
0006525208.tif 000005
【図５】
0006525208.tif 000006
【図６】
0006525208.tif 000007
【図７】
0006525208.tif 000008
【図８】
0006525208.tif 000009
【図９】
0006525208.tif 000010